(57)【要約】【課題】誤挿入防止機構および排出収容機構を省スペースで実装することができるライブラリ装置を提供すること。【解決手段】収容位置から引出位置まで引出可能な引出セル４ａに回転可能に取り付けられ、引出位置にある引出セル４ａの開口部のうち記録媒体３の非挿抜口の少なくとも一部を覆う誤挿入防止部材５２と、引出セル４ａおよび誤挿入防止部材５２の間に取り付けられ、誤挿入防止部材５２を、非挿抜口の少なくとも一部を覆う方向かつ収容位置方向に回転付勢する付勢部材５３と、引出セル４ａが引出位置から収容位置に移動するとき、誤挿入防止部材５２を、非挿抜口の少なくとも一部を覆う姿勢から付勢部材５３に抗して回転させて、引出セル４ａとともに収容される収容姿勢で保持する保持部材５４と、引出セル４ａを収容位置にロックするロック機構５５と、を有する排出収容機構５を備える。【選択図】      図６
2011165239.tif 000002
【特許請求の範囲】
【請求項１】
記録媒体を収納する複数のマガジンセルと、
前記複数のマガジンセルのうち、収容位置から引出位置まで引出可能な引出セルを排出収容する排出収容機構と、
を有するマガジンを備え、
前記排出収容機構は、
前記引出セルに回転可能に取り付けられ、前記引出位置にある引出セルの開口部のうち前記記録媒体が挿抜される挿抜口を含まない非挿抜口の少なくとも一部を覆う誤挿入防止部材と、
前記引出セルおよび前記誤挿入防止部材の間に取り付けられ、前記誤挿入防止部材を、前記非挿抜口の少なくとも一部を覆う方向かつ前記収容位置方向に回転付勢する付勢部材と、
前記引出セルが前記引出位置から前記収容位置に移動するとき、前記誤挿入防止部材を、前記非挿抜口の少なくとも一部を覆う姿勢から前記付勢部材に抗して回転させて、前記引出セルとともに収容される収容姿勢で保持する保持部材と、
前記引出セルを前記収容位置にロックするロック機構と、
を有するライブラリ装置。
【請求項２】
前記引出セルには、前記挿抜口が形成された一方の面とは異なる他方の面にも開口部が形成され、
前記誤挿入防止部材は、前記他方の面に形成された開口部の少なくとも一部を前記非挿抜口として、少なくともその一部を覆いうることを特徴とする請求項１に記載のライブラリ装置。
【請求項３】
前記引出セルは、前記挿抜口から挿入される前記記録媒体によって押し込まれることにより前記記録媒体を前記挿抜口から排出する方向に付勢する排出付勢部材を有し、
前記誤挿入防止部材は、前記他方の面に形成された開口部のうち、前記記録媒体が未収納の状態における前記排出付勢部材の位置より挿入方向に奥側の領域を前記非挿抜口として、少なくともその一部を覆いうることを特徴とする請求項２に記載のライブラリ装置。
【請求項４】
前記誤挿入防止部材は、前記収容姿勢で前記保持部材の先端を突出させる開口部を有することを特徴とする請求項２または請求項３に記載のライブラリ装置。
【請求項５】
前記誤挿入防止部材は、テーパ面を有する厚肉部が端部に形成されることを特徴とする請求項２から請求項４のいずれかに記載のライブラリ装置。
【請求項６】
記録媒体を収納する複数のマガジンセルと前記マガジンセルのうち収容位置から引出位置まで引出可能な引出セルとを有するマガジンに備えられ、
前記引出セルに回転可能に取り付けられ、前記引出位置にある引出セルの開口部のうち前記記録媒体が挿抜される挿抜口を含まない非挿抜口の少なくとも一部を覆う誤挿入防止部材と、
前記引出セルおよび前記誤挿入防止部材の間に取り付けられ、前記誤挿入防止部材を、前記非挿抜口の少なくとも一部を覆う方向かつ前記収容位置方向に回転付勢する付勢部材と、
前記引出セルが前記引出位置から前記収容位置に移動するとき、前記誤挿入防止部材を、前記非挿抜口の少なくとも一部を覆う姿勢から前記付勢部材に抗して回転させて、前記引出セルとともに収容される収容姿勢で保持する保持部材と、
前記引出セルを前記収容位置にロックするロック機構と、
を備えた排出収容機構。
【請求項７】
前記引出セルには、前記挿抜口が形成された一方の面とは異なる他方の面にも開口部が形成され、
前記誤挿入防止部材は、前記他方の面に形成された開口部の少なくとも一部を前記非挿抜口として、少なくともその一部を覆いうることを特徴とする請求項６に記載の排出収容機構。
【請求項８】
記録媒体を収納する複数のマガジンセルと前記マガジンセルのうち収容位置から引出位置まで引出可能な引出セルとを有するマガジンに備えられた排出収容機構が、
前記引出セル、および、前記引出セルに回転可能に取り付けられて前記引出位置にある引出セルの開口部のうち前記記録媒体が挿抜される挿抜口を含まない非挿抜口の少なくとも一部を覆う姿勢に回転付勢される誤挿入防止部材を、前記回転付勢力に抗して前記収容位置に保持する保持ステップと、
前記保持を解除する解除ステップと、
前記回転付勢力の反力によって、前記引出セルおよび前記誤挿入防止部材を前記引出位置まで排出する排出ステップと、
前記誤挿入防止部材を前記回転付勢力によって前記非挿抜口の少なくとも一部を覆う姿勢に回転させる回転ステップと、
前記引出セルが前記引出位置から前記収容位置に移動するとき、前記誤挿入防止部材を、前記非挿抜口の少なくとも一部を覆う姿勢から前記付勢部材に抗して回転させて、前記引出セルとともに収容される収容姿勢まで案内する収容ステップと、を実行する排出収容方法。
【請求項９】
前記引出セルの前記挿抜口が形成された一方の面とは異なる他方の面にも開口部が形成されているとき、
前記回転ステップで、前記誤挿入防止部材を、前記他方の面に形成された開口部の少なくとも一部を前記非挿抜口として、少なくともその一部を覆うよう回転させることを特徴とする請求項８に記載の排出収容方法。
【発明の詳細な説明】
【技術分野】
【０００１】
本発明は、複数の記録媒体を収納可能に構成されて記録媒体に対するデータの読み書きを行うライブラリ装置に関し、特に、オペレータによって記録媒体が挿抜される引出セルを備えたライブラリ装置、引出セルの排出収容機構、および排出収容方法に関する。
【背景技術】
【０００２】
一般的なライブラリ装置は、複数の記録媒体を収納可能な収納棚（以下、マガジンという）と、記録媒体に対する読み書きを実行するドライブと、記録媒体をマガジンおよびドライブ間で搬送するアクセッサ機構とを備えている。また、マガジンは、ライブラリ装置から脱着可能に構成され、各記録媒体をそれぞれ収納する複数のトレイ（以下、マガジンセルという）を有している。
【０００３】
このようなライブラリ装置では、マガジンが取り外された状態で各マガジンセル内の記録媒体がオペレータによって挿抜される。
【０００４】
したがって、このようなライブラリ装置は、マガジン装着時や起動時に、各マガジンセル内における記録媒体の有無や記録媒体の配置を確認するインベントリ動作を実行する必要がある。
【０００５】
しかしながら、このようなライブラリ装置では、記録媒体に格納されるデータ量の増大に伴い、多数の記録媒体が高密度実装されるようになり、その結果、インベントリ動作の実行時間が増大するという問題があった。
【０００６】
このような問題を解決するものとして、マガジンを取り外すことなく一部のマガジンセル内の記録媒体のみを挿抜可能とするライブラリ装置がある（例えば、特許文献１参照）。
【０００７】
特許文献１に記載されたライブラリ装置は、一部のマガジンセルを引出セルとしてマガジン外に排出収容する排出収容機構を備える。このため、特許文献１に記載されたライブラリ装置は、引出セルに対してのみインベントリを実行することにより、インベントリの実行時間を短縮することができる。
【０００８】
また、特許文献１に記載されたライブラリ装置は、引出セルをマガジン外に排出することにより、一部の記録媒体を挿抜する際のオペレータの直感的な操作を可能としている。
【先行技術文献】
【特許文献】
【０００９】
【特許文献１】特開平１０−１０６１１２号公報
【発明の概要】
【発明が解決しようとする課題】
【００１０】
一方、ライブラリ装置は、記録媒体がマガジンセルに対して誤った方向で挿入されると動作上問題を生じる場合があり、誤挿入防止機構を必要とする。
【００１１】
しかしながら、特許文献１に記載されたライブラリ装置は、さらに誤挿入防止機構を備えるためには排出収容機構に加えて誤挿入防止機構を構成する部品を必要とし、記録媒体の高密度実装に影響を与えるという課題があった。
【００１２】
なぜなら、ライブラリ装置では、装置の高さおよび幅が規格化されている。また、ライブラリ装置では、奥行きの長さは規格化されていないが、一般的なラックに搭載させるために奥行きの長さにも制約を受ける。、したがって、特許文献１に記載されたライブラリ装置は、記録媒体の高密度実装を実現しながらこれらの制約を満たす限られたスペースにおいて引出セルの排出収容機構および誤挿入防止機構を実装することが難しいからである。
【００１３】
本発明は、上述の課題を解決するためになされたもので、誤挿入防止機構および排出収容機構を省スペースで実装することができるライブラリ装置を提供することを目的とする。
【課題を解決するための手段】
【００１４】
本発明のライブラリ装置は、記録媒体を収納する複数のマガジンセルと、前記複数のマガジンセルのうち、収容位置から引出位置まで引出可能な引出セルを排出収容する排出収容機構と、を有するマガジンを備え、前記排出収容機構は、前記引出セルに回転可能に取り付けられ、前記引出位置にある引出セルの開口部のうち前記記録媒体が挿抜される挿抜口を含まない非挿抜口の少なくとも一部を覆う誤挿入防止部材と、前記引出セルおよび前記誤挿入防止部材の間に取り付けられ、前記誤挿入防止部材を、前記非挿抜口の少なくとも一部を覆う方向かつ前記収容位置方向に回転付勢する付勢部材と、前記引出セルが前記引出位置から前記収容位置に移動するとき、前記誤挿入防止部材を、前記非挿抜口の少なくとも一部を覆う姿勢から前記付勢部材に抗して回転させて、前記引出セルとともに収容される収容姿勢で保持する保持部材と、前記引出セルを前記収容位置にロックするロック機構と、を有する。
【００１５】
本発明の排出収容機構は、記録媒体を収納する複数のマガジンセルと前記マガジンセルのうち収容位置から引出位置まで引出可能な引出セルとを有するマガジンに備えられ、前記引出セルに回転可能に取り付けられ、前記引出位置にある引出セルの開口部のうち前記記録媒体が挿抜される挿抜口を含まない非挿抜口の少なくとも一部を覆う誤挿入防止部材と、前記引出セルおよび前記誤挿入防止部材の間に取り付けられ、前記誤挿入防止部材を、前記非挿抜口の少なくとも一部を覆う方向かつ前記収容位置方向に回転付勢する付勢部材と、前記引出セルが前記引出位置から前記収容位置に移動するとき、前記誤挿入防止部材を、前記非挿抜口の少なくとも一部を覆う姿勢から前記付勢部材に抗して回転させて、前記引出セルとともに収容される収容姿勢で保持する保持部材と、前記引出セルを前記収容位置にロックするロック機構と、を備える。
【００１６】
本発明の排出収容方法は、記録媒体を収納する複数のマガジンセルと前記マガジンセルのうち収容位置から引出位置まで引出可能な引出セルとを有するマガジンに備えられた排出収容機構が、前記引出セル、および、前記引出セルに回転可能に取り付けられて前記引出位置にある引出セルの開口部のうち前記記録媒体が挿抜される挿抜口を含まない非挿抜口の少なくとも一部を覆う姿勢に回転付勢される誤挿入防止部材を、前記回転付勢力に抗して前記収容位置に保持する保持ステップと、前記保持を解除する解除ステップと、前記回転付勢力の反力によって、前記引出セルおよび前記誤挿入防止部材を前記引出位置まで排出する排出ステップと、前記誤挿入防止部材を前記回転付勢力によって前記非挿抜口の少なくとも一部を覆う姿勢に回転させる回転ステップと、前記引出セルが前記引出位置から前記収容位置に移動するとき、前記誤挿入防止部材を、前記非挿抜口の少なくとも一部を覆う姿勢から前記付勢部材に抗して回転させて、前記引出セルとともに収容される収容姿勢まで案内する収容ステップと、を実行する。
【発明の効果】
【００１７】
本発明は、誤挿入防止機構および排出収容機構を省スペースで実装することができるライブラリ装置を提供することができる。
【図面の簡単な説明】
【００１８】
【図１】本発明の一実施の形態としてのライブラリ装置の外観図である。
【図２】本発明の一実施の形態におけるマガジンの斜視図である。
【図３】本発明の一実施の形態においてカートリッジが収納されていないマガジンセルの斜視図である。
【図４】本発明の一実施の形態において正常に収納されているカートリッジを説明するための図である。
【図５】本発明の一実施の形態において引出セルが引き出されたライブラリ装置の斜視図である。
【図６】本発明の一実施の形態において引出セルが引き出されたマガジンの斜視図である。
【図７】本発明の一実施の形態において引出セルの挿抜口および非挿抜口を説明するための図である。
【図８】本発明の一実施の形態において誤って収納されているカートリッジを説明するための図である。
【図９】本発明の一実施の形態において誤挿入防止部材が取り付けられたマガジンセルの斜視図である。
【図１０】本発明の一実施の形態において引出セルおよび誤挿入防止部材を収容したマガジンの断面図である。
【図１１】本発明の一実施の形態において引出セルおよび誤挿入防止部材を排出したマガジンの断面図である。
【発明を実施するための形態】
【００１９】
次に、本発明の一実施の形態について図面を参照して詳細に説明する。なお、本発明の一実施の形態において、本発明における記録媒体に、カートリッジに収納された磁気テープを適用した例について説明する。
【００２０】
まず、本発明の一実施の形態としてのライブラリ装置１の外観を図１に示す。ライブラリ装置１は、マガジン２を装置筐体内に備えている。また、ライブラリ装置１は、マガジン２内のカートリッジを搬送するアクセッサ機構、および、搬送されたカートリッジ内の磁気テープに対してデータの読み書きを行うドライブユニット（ともに図示せず）を備えている。
【００２１】
マガジン２の斜視図を図２に示す。図２において、マガジン２は、カートリッジ３を収納可能な複数のマガジンセル４と、排出収容機構５とを有している。なお、図２には９つのマガジンセル４を示したが、本発明におけるマガジンが有するマガジンセルの数を限定するものではない。
【００２２】
マガジンセル４は、１つ以上のカートリッジ３をそれぞれ収納可能に構成されている。例えば、マガジンセル４は、２つのカートリッジ３を収納可能に構成されていてもよい。
【００２３】
また、マガジンセル４に収納されるカートリッジ３は、マガジンセル４およびドライブユニット間を、アクセッサ機構によって搬送される。
【００２４】
図３に、カートリッジ３が収納されていない状態のマガジンセル４の斜視図を示す。
【００２５】
マガジンセル４は、排出付勢部材４１、および、カートリッジロック機構４２を備えている。マガジンセル４は、上記以外に、カートリッジ３を搭載する底面部と、側面部を構成するフレームとを備えている。フレームの一部は、開放し、挿抜口４３となっている。
【００２６】
排出付勢部材４１は、マガジンセル４の挿抜口４３から挿入されるカートリッジ３によって挿入方向（図３のＹ負方向）に押し込まれるようになっている。排出付勢部材４１は、たとえば、マガジンセル４の底面部に、挿入方向に移動可能に取り付けられている。
【００２７】
図４に、カートリッジ３が収納された状態のマガジンセル４の斜視図を示す。
【００２８】
マガジンセル４は、カートリッジ３を挿入方向に２つ配列させて収納する。なお、図４では、マガジンセル４が２つのカートリッジ３を挿入方向に配列させて収納する例について示しているが、本発明におけるマガジンセルが収納する記録媒体の数および配置を限定するものではない。
【００２９】
図４において、カートリッジ３によって押し込まれた排出付勢部材４１は、カートリッジ３を挿抜口４３から排出する方向（Ｙ正方向）に付勢する。
【００３０】
カートリッジロック機構４２は、排出付勢部材４１によって排出方向に付勢されるカートリッジ３を適正な位置にロックする。カートリッジロック機構４２のロックが解除されると、排出付勢部材４１の付勢力によって、カートリッジ３はマガジンセル４外に排出される。なお、ロック及び解除は、カートリッジロック機構４２の操作によって行われる。具体的には、カートリッジロック機構４２がカートリッジ３の前側面（収容時に外から見える面）の一部を保持することで、カートリッジ３が挿抜口４３からから飛び出さないようにし、その保持を解除することでロックが解除され、カートリッジ３の挿抜口４３からの排出が可能となる。
【００３１】
なお、図３および図４において、マガジンセル４に対するカートリッジ３の挿入および排出は、アクセッサ機構またはオペレータによって行われる。
【００３２】
一部のマガジンセル４は、マガジン２内での収容位置から、外部よりカートリッジ３が挿抜可能な引出位置まで引出可能な引出セルとして構成されている。
【００３３】
図５に、マガジンセル４のうち引出セル４ａが引出位置まで引き出された状態のライブラリ装置１の斜視図を示す。このように、引出セル４ａは、引出位置に引き出されることにより、オペレータによるカートリッジ３の挿抜を可能とする。なお、引出セル４ａの底面部とフレーム構成は、マガジンセル４とほぼ同様であるが、引出セル４ａは、それ以外に、Ｘ軸方向への引き出しのための構造体を有する。
【００３４】
また、引出セル４ａは、ＩＯ（Ｉｎｐｕｔ／Ｏｕｔｐｕｔ）部４５と一体に移動可能に構成されている。ＩＯ部４５は、引出セル４ａの引出方向手前側に形成されている。また、ＩＯ部４５の底面部は、マガジンセル２の底面部に連なり、引出方向に移動可能に構成されている。引出セル４ａは、ＩＯ部４５の底面部の上に搭載、固定されている。引出セル４ａは、ＩＯ部４５がオペレータによって押し込まれることにより引出位置から収容位置まで移動する。
【００３５】
例えば、引出セル４ａは、マガジン２の内面に接する外面に引出方向に形成された溝を有し、マガジン２の内面にこの溝にスライド可能に係合する突起を形成することにより、引出方向に移動可能としてもよい。また、引出セル４ａの外面に突起を形成し、マガジン２の内面に引出方向の溝を形成するようにしてもよい。その他、引出セル４ａを引出方向に移動可能とする構成については様々に変形可能である。
【００３６】
また、図５では、引出セル４ａは、カートリッジ３を収納した状態で引き出されている。例えば、引出セル４ａは、オペレータによって指定されアクセッサ機構によって搬送されてくるカートリッジ３を収納し、引き出される。
【００３７】
なお、引出セル４ａは、未収納のマガジンセル４がありカートリッジ３が追加される場合には、カートリッジ３を収納していない状態で引き出されてもよい。
【００３８】
図６に、引出セル４ａが引出位置まで引き出された状態のマガジン２の斜視図を示す。なお、図６は説明のための図であり、引出セル４ａは、図５に示したようにマガジン２がライブラリ装置１に装着された状態で引出位置まで引き出される。各マガジンセル４は、マガジン２が取り外された状態では、引き出されることなくカートリッジ３を挿抜可能に構成されていてもよい。
【００３９】
また、図６では、マガジンセル４のうち、引出方向に手前側最下部の引出セル４ａが引出可能に構成される例を示しているが、本発明におけるマガジンが備える引出セルの数および配置を限定するものではない。
【００４０】
図７を用いて、引出セル４ａの挿抜口４３および非挿抜口４４について説明する。
【００４１】
非挿抜口４４は、引出セル４ａの開口部のうち、挿抜口４３を含まない領域の少なくとも一部である。例えば、非挿抜口４４は、挿抜口４３が形成された面とは異なる面に形成された開口部の一部であってもよい。また、例えば、非挿抜口４４は、カートリッジ３が未収納の状態における排出付勢部材４１の位置より挿入方向に奥側に位置する開口部であってもよい。
【００４２】
カートリッジ３は、非挿抜口４４から挿入されると、カートリッジ３の排出動作に問題を生じる。
【００４３】
図８に、非挿抜口４４からカートリッジ３が挿入された引出セル４ａの斜視図を示す。図８では、１つ目のカートリッジ３が非挿抜口４４から挿入され、その後、２つ目のカートリッジ３が挿抜口４３から挿入されている。
【００４４】
このように、非挿抜口４４からカートリッジ３が挿入されると、排出付勢部材４１が押し込まれず、排出方向に付勢力が働かない。従って、カートリッジロック機構４２が操作されても、非挿抜口４４から挿入されたカートリッジ３が排出されない。すると、挿抜口４３から挿入された２つ目のカートリッジ３も排出されないことになる。
なお、引出セル４ａは、後述する誤挿入防止部材を軸支するための１対の支持部材４６が形成されている。１対の支持部材４６には、軸受け穴４６ａが形成されている。
【００４５】
また、引出セル４ａにおけるカートリッジ３の収納構成は様々に変形可能であり、カートリッジ３の配置および数ならびに開口部の位置および形状等その他の構成に応じて挿抜口４３および非挿抜口４４は適切に設定されうる。
【００４６】
次に、図６、図８、図９、図１０、図１１を参照して排出収容機構５の構成について説明する。
【００４７】
排出収容機構５は、誤挿入防止部材５２と、１対の付勢部材５３と、保持部材５４と、ロック機構５５とを備えている。
【００４８】
図９に示すように、誤挿入防止部材５２は、引出セル４ａの１対の支持部材４６に回転可能に取り付けられている。具体的には、誤挿入防止部材５２は、一方の端部５２ｃの近傍に１対の回転軸部が形成され、各回転軸部が支持部材４６の軸受け穴４６ａに挿入される。このとき、回転軸部が１対の付勢部材５３によって引出セル４ａの支持部材４６に取り付けられてもよい。
【００４９】
また、誤挿入防止部材５２は、図９に示すように、非挿抜口４４の一部を覆いうる板状に形成されている。これにより、誤挿入防止部材５２は、引出セル４ａに対して記録媒体が誤った方向から挿入されることを防止する。また、誤挿入防止部材５２は、カートリッジ挿入の操作性向上のため、回転軸部が形成された一方の端部５２ｃに対する他方の端部５２ａにテーパ部が形成された厚肉部を有している。
【００５０】
ここで、誤挿入防止部材５２が引出セル４ａに対して回転してとりうる姿勢について図１０および図１１を用いて説明する。
【００５１】
図１０は、図２のマガジン２をＸＺ平面で切断した断面図である。図１０に示すように、誤挿入防止部材５２は、引出セル４ａが収容位置にあるときには、端部５２ａが保持部材５４に当接する収容姿勢で収容される。また、誤挿入防止部材５２は、引出セル４ａとＩＯ部４５の間に形成された収容空間内に収容姿勢で収容される。
【００５２】
また、誤挿入防止部材５２は、収容姿勢にあるとき、保持部材５４の先端５４ｃを突出させる開口部５２ｂを有している。この開口部５２ｂは、収容姿勢まで回転する前に誤挿入防止部材５２が保持部材５４に突き当たることを防止する。また、この開口部５２ｂにより、収容姿勢で誤挿入防止部材５２の端部５２ａを保持部材５４に当接させることができ、回転付勢力が働く支点から作用点までの距離を長くすることができる。
【００５３】
図１１は、図６のマガジン２をＸＺ平面で切断した断面図である。図１１に示すように、誤挿入防止部材５２は、引出セル４ａが引出位置にあるときには、引出セル４ａの非挿抜口４４の少なくとも一部を覆う誤挿入防止姿勢となっている。
【００５４】
付勢部材５３は、誤挿入防止部材５２を、非挿抜口４４の少なくとも一部を覆う方向かつ収容位置方向に常時回転付勢している。このため、誤挿入防止部材５２は、収容姿勢では、保持部材５４に押し付けられるように立てられた状態で収容されている。これにより、誤挿入防止部材５２が取り付けられた引出セル４ａは、引出方向に与圧がかけられた状態で収容される。
【００５５】
保持部材５４は、マガジン２の引き出し開口面の側に固定された板で、斜面５４ａおよび保持面５４ｂによって構成される。斜面５４ａは、引出セル４ａの引出方向に傾いている。斜面５４ａは、引出セル４ａが図１１に示す引出位置から図１０に示す収容位置に移動するとき、誤挿入防止部材５２を、非挿抜口４４の少なくとも一部を覆う姿勢から収容姿勢に、付勢部材５３の回転付勢力に抗して回転させるよう案内する。また、保持面５４ｂは、収容姿勢の誤挿入防止部材５２の端部５２ａに接する。
【００５６】
すなわち、斜面５４ａは、引出セル４ａの移動に伴って、誤挿入防止部材５２の端部５２ａに接し、誤挿入防止部材５２を付勢部材５３の回転付勢力に抗して回転させる。また、保持面４４は、収容姿勢まで回転した誤挿入防止部材５２の端部５２ａに接して収容姿勢を保持する。また、保持面４４は、後述のロック機構５５のロックが解除されたとき、誤挿入防止部材５２の端部５２ａから作用する回転付勢力を受けて反力を作用させる。
【００５７】
図６に戻り、ロック機構５５は、引出セル４ａを収容位置でマガジン２にロックする。例えば、ロック機構５５は、ＩＯ部４５の底面部に形成されたロック孔と、マガジン２の内面に形成され、ロック孔に嵌合する突出部を有し、突出部をマガジン２の内面に対して垂直に移動可能に構成してもよい。なお、ロック機構５５は、上述の構成に限らず様々に変形可能である。
【００５８】
以上のように構成されたライブラリ装置１において、排出収容機構５による引出セル４ａの排出収容動作について説明する。
【００５９】
なお、ライブラリ装置１は、引出セル４ａが収容されロック機構５５によってロックされた図１０の状態にあるものとする。
【００６０】
図１０に示す状態において、誤挿入防止部材５２は、付勢部材５３の回転付勢力に抗して保持部材５４の保持面５４ｂに押し付けられるように立てられた収容姿勢で保持されロック機構５５によりロックされている。これにより、引出セル４ａは引出方向（Ｘ正方向）に与圧がかけられた状態で保持されている（保持ステップ）。
【００６１】
次に、ロック機構５５が解除されると（解除ステップ）、与圧がかかっていた引出方向の力により引出セル４ａがマガジン２外に排出される（排出ステップ）。これにより、引出された引出セル４ａがアクセス可能な状態であることをオペレータに示唆することができる。
【００６２】
引出セル４ａが排出されるのに伴って、付勢部材５３の回転付勢力により、誤挿入防止部材５２が引出セル４ａの非挿抜口４４の少なくとも一部を覆い、カートリッジ３の誤った方向からの挿入を防止する（回転ステップ）。
【００６３】
次に、引出セル４ａが収容位置方向に移動するのに伴い、誤挿入防止部材５２の端部５２ａが保持部材５４に設けた斜面５４ａに乗り上がる。そして誤挿入防止部材５２は、回転動作をしながら図１１の保持部材５４の保持面５４ｂに押し付けられるように立てられた収容姿勢で引出セル４ａ前面の収容空間に収容される（収容ステップ）。これにより、付勢部材５３に引出セル４ａ排出のためのエネルギーが蓄積される。
【００６４】
以上で、排出収容機構５の排出収容動作は終了する。
【００６５】
次に、本発明の一実施の形態としてのライブラリ装置の効果について説明する。
【００６６】
本発明の一実施の形態としてのライブラリ装置は、誤挿入防止機構および排出収容機構を省スペースで実装することができる。
【００６７】
その理由は、誤挿入防止部材が、付勢部材を介して引出セルに回転可能に取り付けられることにより、誤挿入防止部材に与えられる回転力が、直線運動の力に変換されて引出セルを排出させることになる。したがって、本発明の一実施の形態としてのライブラリ装置は、誤挿入防止機構が排出収容機能を備えることができ、誤挿入防止機構および排出収容機構に必要な部品点数を減らすことができるからである。
【００６８】
また、本発明の一実施の形態としてのライブラリ装置は、記録媒体の挿入口を含む面とは異なる面に開口部が形成されている引出セルに対して、挿入口ではない開口部からの誤挿入をより確実に防止することができる。
【００６９】
その理由は、誤挿入防止部材が、引出セルの、記録媒体の挿入口を含む面とは異なる面に形成された開口部の少なくとも一部を覆いうるからである。
【００７０】
また、本発明の一実施の形態としてのライブラリ装置は、記録媒体の排出動作に問題を生じる誤挿入をより確実に防止することができる。
【００７１】
その理由は、誤挿入防止部材が、引出セルの排出付勢部材の位置より奥側の開口部の一部を覆うので、排出付勢部材が押し込まれない位置にカートリッジが挿入されることを防止するからである。
【００７２】
また、本発明の一実施の形態としてのライブラリ装置は、誤挿入防止機構による引出セルの排出動作をより確実に行うことができる。
【００７３】
その理由は、誤挿入防止部材に保持部材の先端を突出させる開口部を形成することにより、誤挿入防止部材の先端を保持部材に当接させることができ、支点から作用点までの距離を長くして回転力をより大きくし排出方向に働く力をより大きくすることができるからである。
【００７４】
また、本発明の一実施の形態としてのライブラリ装置は、記録媒体の誤挿入を防止しながら挿入の操作性を向上させることができる。
【００７５】
その理由は、誤挿入防止部材の端部にテーパ面を有する厚肉部を形成し、カートリッジがテーパ面に沿って挿入されるよう案内するからである。また、誤挿入防止部材によって引出セルを排出させることにより、アクセス可能なカートリッジをオペレータに示唆するからである。
【００７６】
なお、上述の本発明の一実施の形態において、記録媒体は磁気テープに限らず、光ディスク等、情報処理装置によって処理されるデータを記録可能な他の媒体であってもよい。また、記録媒体は、カートリッジに収納されていなくてもよい。
【００７７】
また、上述の本発明の一実施の形態において、記録媒体の挿抜口は、引出セルの側面に限らず、その他の面に設けられていてもよい。また、引出セルは、水平方向に限らず、垂直方向または斜め方向等、その他の方向に引き出されるよう構成されていてもよい。
【００７８】
また、上述の本発明の一実施の形態において、誤挿入防止部材は、板状に限らず、引出セルに対する記録媒体の誤挿入を防止可能なその他の形状であってもよい。
【００７９】
また、上述の本発明の一実施の形態において、誤挿入防止部材は、回転付勢力の反力によって排出されうる収容姿勢に保持可能であれば、開口部が形成されていなくても構わない。例えば、誤挿入防止部材は、保持部材の先端を突出させる開口部の代わりに凹部を形成するなど、その他の形状であってもよい。
【００８０】
なお、本発明のライブラリ装置の最小構成について、図６を用いて説明する。本発明のライブラリ装置は、引出セル４ａを有するマガジン２、および、誤挿入防止部材５２と、付勢部材５３と、保持部材５４と、ロック機構５５をとを有する排出収容機構５を、少なくとも備えることにより、誤挿入防止機構および排出収容機構を省スペースで実装することができる。
【００８１】
その理由は、引出セル４ａに誤挿入防止部材５２を回転可能に取り付け、付勢部材５３によって誤挿入防止部材５２を回転付勢し、保持部材５４およびロック機構５５によって誤挿入防止部材５２に与えられる回転付勢力を排出方向の直線運動に変換するからである。
【００８２】
その結果、本発明のライブラリ装置は、誤挿入防止機構および引出セルの排出収容機構に必要な部品点数を減らすことができ、ライブラリ装置における記録媒体の高密度実装に寄与することができる。
【産業上の利用可能性】
【００８３】
本発明は、誤挿入防止機構および排出収容機構を省スペースで実装することができるライブラリ装置を提供することができ、規格化されたサイズ内での高密度実装が要求されるライブラリ装置として好適である。
【符号の説明】
【００８４】
１    ライブラリ装置
２    マガジン
３    カートリッジ（記録媒体）
４    マガジンセル
４ａ    引出セル
４１    排出付勢部材
４２    カートリッジロック機構
４３    挿抜口
４４    非挿抜口
４５    ＩＯ部
４６    支持部材
４６ａ    軸受け穴
５    排出収容機構
５２    誤挿入防止部材
５２ａ    端部
５２ｂ    開口部
５２ｃ    端部
５３    付勢部材
５４    保持部材
５４ａ    斜面
５４ｂ    保持面
５４ｃ    先端
５５  ロック機構
【図１】
2011165239.tif 000003
【図２】
2011165239.tif 000004
【図３】
2011165239.tif 000005
【図４】
2011165239.tif 000006
【図５】
2011165239.tif 000007
【図６】
2011165239.tif 000008
【図７】
2011165239.tif 000009
【図８】
2011165239.tif 000010
【図９】
2011165239.tif 000011
【図１０】
2011165239.tif 000012
【図１１】
2011165239.tif 000013